(57)【要約】【課題】端子板の板厚が薄くなった場合であっても、簡単な構成によって端子部にねじを取り付けるためのねじ山を十分に確保できる端子部構造を提供する。【解決手段】ねじが挿通される穴を有する端子板と、前記端子板の穴に同軸に嵌入されるバーリング部を備えた座金と、からなる端子部構造であって、前記バーリング部の内面には、前記ねじの雄ねじと螺合する雌ねじが形成されている。【選択図】  図２
2015222614.tif 000002
【特許請求の範囲】
【請求項１】
ねじが挿通される穴を有する端子板と、前記端子板の穴に同軸に嵌入されるバーリング部を備えた座金と、からなる端子部構造であって、
前記バーリング部の内面には、前記ねじの雄ねじと螺合する雌ねじが形成されている
ことを特徴とする端子部構造。
【請求項２】
請求項１に記載の端子部構造であって、
前記座金の表面に対する前記バーリング部の高さは、前記端子板の板厚と同一である
ことを特徴とする端子部構造。
【請求項３】
請求項１又は２に記載の端子部構造であって、
前記座金の形状は、上面視で四角形である
ことを特徴とする端子部構造。
【請求項４】
請求項１又は２に記載の端子部構造であって、
前記座金の形状は、上面視で外周部に突出部を有する形状である
ことを特徴とする端子部構造。
【請求項５】
請求項１〜４のいずれか１つに記載された端子部構造と、圧着端子と、を前記端子部構造の座金とねじとの間のねじ結合によって接続された端子接続部。
【請求項６】
請求項５に記載の端子接続部であって、
前記圧着端子は、前記座金と導電性部材を介して電気的に接続される
ことを特徴とする端子接続部。
【請求項７】
固定接点を有する固定接触子と、可動接点を有する可動接触子と、前記可動接触子を駆動して前記固定接点と前記可動接点との接点部を開閉する開閉機構と、前記固定接点と前記可動接点との間に発生するアークを消弧する消弧装置と、を備えた回路遮断器であって、
前記固定接触子が、請求項１〜４のいずれか１つに記載された端子部構造で形成されている
ことを特徴とする回路遮断器。
【発明の詳細な説明】
【技術分野】
【０００１】
本発明は、圧着端子等が接続される端子部構造に関する。
【背景技術】
【０００２】
従来、回路遮断器等の端子部構造として、特開２０００−２２２９９６号公報（特許文献１）に記載されたものが知られている。
当該特許文献１には、端子板となる上部片にバーリング加工を施し、当該バーリング加工した穴の内面にねじ山を形成してねじ穴とすることにより、圧着端子等を接続する端子部構造が記載されている。
【先行技術文献】
【特許文献】
【０００３】
【特許文献１】特開２０００−２２２９９６号公報
【発明の概要】
【発明が解決しようとする課題】
【０００４】
上記特許文献１に記載された端子部構造では、電線抑え金具を端子ねじで締め込むことにより、電線抑え金具で電線を接続固定するボックス形端子金具が用いられている。
このようなボックス形端子金具において、端子ねじと螺合する上部片にバーリング加工を行ってねじ山を形成している。
一般に遮断器の端子部において、台金にはねじ穴が設けられるが、遮断器全体のコンパクト化、軽量化のために端子板の板厚を薄くしようとすると、上記ねじ穴の内面に形成するねじ山の数が十分に確保できなくなる。そこで、台金をバーリング加工してねじ山を確保する手法を用いることがある。
しかしながら、バーリング部分にはある程度のスペースを要するため、端子部のサイズが小さいと台金にバーリング加工を行うことが困難であるという問題があった。
このような問題に対して、例えば端子板の裏面側にナットを配置し、当該ナットにねじを挿通することにより圧着端子を接続する構造を採用する場合がある。
しかしながら、上記のとおりねじ止めに十分なねじ山を有するナットを配置するためには、ナットの高さの分だけ端子部構造にスペースが必要となり、コンパクト化が困難となるという新たな問題があった。
そこで、本発明は、端子板の板厚が薄くなった場合であっても、簡単な構成によって端子部にねじを取り付けるためのねじ山を十分に確保できる端子部構造を提供する。
【課題を解決するための手段】
【０００５】
上記課題を解決するための構成として、本発明の端子部構造は、ねじが挿通される穴を有する端子板と、前記端子板の穴に同軸に嵌入されるバーリング部を備えた座金と、からなり、前記バーリング部の内面には、前記ねじの雄ねじと螺合する雌ねじが形成されている。
【発明の効果】
【０００６】
本発明によれば、端子板の板厚が薄くなった場合であっても、簡単な構成によって端子部にねじを取り付けるためのねじ山を十分に確保できる端子部構造を提供することができる。
また、本発明の端子部構造に用いられる座金は、板材を板金加工することによって製造できるため、様々な形状を選択し得るとともにコスト低減も可能となる。
【図面の簡単な説明】
【０００７】
【図１】本発明の端子部構造を含む端子接続部を示す図である。
【図２】図１の端子接続部の接続前の状態を各部品毎に分解した図である。
【図３】本発明の端子部構造に適用される座金の形状の一例を示す図である。
【図４】本発明の端子部構造に適用される座金の形状の変形例を示す図である。
【図５】本発明の端子部構造に適用される座金の形状の変形例を示す図である。
【図６】本発明の端子部構造を接点に適用した回路遮断器を示す図である。
【図７】図６の回路遮断器の固定接点台に本発明の端子部構造を適用した図である。
【図８】図６の回路遮断器の端子接続部の変形例を示す図である。
【発明を実施するための形態】
【０００８】
以下、本発明の実施例を図面とともに説明する。
（実施例１）
図１は、本発明の端子部構造を示す図である。また、図２は、図１の端子部構造の接続前の状態を各部品毎に分解した図である。
【０００９】
図１に示すとおり、本発明の端子部構造１は、端子板１０と、該端子板１０の裏面側に組み合わせて配置される座金２０とからなり、上記端子板１０と座金２０とは、それぞれねじ４０が挿通される穴を有する（図２参照）。
本発明の端子部構造１には、端子板１０の表面側に圧着端子３０の接続部３１を重ね合わせるとともに、端子板１０と座金２０と接続部３１とがねじ４０にて一体的にねじ結合されることによって端子接続部を形成する。
【００１０】
図２に示すとおり、端子板１０には、後述する座金のバーリング部２１とねじ４０とが挿通される穴１１が形成されている。
座金２０は、薄い板材にバーリング加工によりバーリング部２１及び穴２２を形成し、該穴２２の内面にねじ４０の雄ねじ４１と螺合する雌ねじ２３を設けることにより作成される。
このとき、上記バーリング部２１の座金２０の表面からの高さは、端子板１０の板厚と同一程度になることが好ましい。
このような構成により、座金２０のバーリング部２１が端子板１０の上面から突出することがなくなるとともに、必要となるねじ山の数を最大限に確保することが可能となる。
【００１１】
本発明の端子部構造１には、端子板１０の表面側に圧着端子３０の接続部３１を配置し、該接続部３１に形成された穴３２と端子板１０の穴１１と座金２０の穴２２とが同軸に並ぶような状態でねじ４０を挿通して、ねじ４０の雄ねじ４１と座金２０の雌ねじ２３とが螺合することにより、端子接続部が形成される。
このような構造の端子接続部によれば、座金２０のバーリング部２１に形成された雌ねじ２３の数を十分に確保することができ、結果として、ねじ４０による圧着端子３０と端子板１０との締結強度を十分に確保することができる。
【００１２】
（実施例１の変形例）
図３〜５は、本発明の端子部構造に適用される座金２０の変形例を示す図である。
図３に示すように、座金２０は、上面視四角形の輪郭となるように、例えばプレス打ち抜き加工等で形成される。
また、図４及び図５に示すように、座金２０は、上面視で突出部２５を有する円形の形状や、突出部２５を有する多角形の形状となるように形成されてもよい。
上面視円形の場合は、ねじ締結の際にねじ４０とともに座金２０が供回りしてしまうことがあるが、これらの形状を採用することにより、端子部構造１を配置するベースに凸部や壁面が存在すれば、これらの突出部等がストッパとなって回り止めとして機能する。
なお、図３においては、上面視四角形の場合を示したが、上述のとおりねじ締結の際の回り止めの機能を果たすものであれば任意の多角形のものとしても良い。
また、図４及び図５に示した突出部２５の形状についても、回り止めとしての機能を果たすものであれば、断面三角形、断面四角形、断面半円形等の任意の形状としても良い。
【００１３】
（実施例２）
図６は、本発明の端子部構造を回路遮断器の接点として適用した例を示す図である。
図６に示される回路遮断器１００は、固定接点台１１０と、該固定接点台１１０に接合された固定接点１２０と、固定接点１２０に対向する位置に配置された可動接点１３０と、該可動接点１３０を支持する可動接点台１４０と、回路に流れる電流を遮断した際に上記２つの接点間から発生するアークを消弧する消弧装置１５０と、電流を開閉するために上記可動接点台１４０を駆動する開閉機構１６０と、から構成される。
【００１４】
図６の固定接点台１１０は、例えば図７に示すように、２枚の略平行な平坦部１１４及び１１５と２か所の屈曲部を有する端子板１１３と、該端子板１１３の一方の平坦部１１４に接合された固定接点１２０と、上記端子板１１３の他方の平坦部１１５の裏面側に組み合わせて配置される座金２０とからなり、上記平坦部１１５の表面側に圧着端子３０の接続部３１を重ね合わせるとともに、端子板１０と座金２０と接続部３１とがねじ４０にて一体的にねじ結合される。
図６及び図７に示すような接点構造を用いることにより、座金２０のバーリング部２１に形成された雌ねじ２３の数を十分に確保することができ、結果として、ねじ４０による圧着端子３０と端子板１０との締結強度を十分に確保することができる。
また、回路遮断器１００のケースやカバーに設けられた壁面と本発明の座金２０の端面又は突出部２５が当接することにより、ねじ４０による締結において座金２０が供回りすることが防止できる。
【００１５】
（実施例２の変形例）
また、図８に示すように、本発明の端子部構造を接点として適用した回路遮断器は、導電部材１７０を介して固定接点台１１０の裏面側、すなわち座金２０を配置した側から接続することも可能であり、この場合、座金２０も導電性金属で形成されて接点の一部として機能する。
【００１６】
なお、本発明は、上記した実施例に限定されるものではなく、様々な変形例が含まれる。
例えば、上記した実施例は、本発明を分かりやすく説明するために詳細に説明したものであり、必ずしも説明した全ての構成を備えるものに限定されるものではない。
また、ある実施例の構成の一部を他の実施例の構成に置き換えることが可能であり、ある実施例の構成に他の実施例の構成を加えることも可能である。
さらに、各実施例の構成の一部について、その他の構成の追加・削除・置換をすることが可能である。
【００１７】
例えば、上述した実施例において、座金２０が接点の一部として機能する場合に導電性金属で形成されることを示したが、この場合、端子板と座金とは、同種の材料で構成されても良いが、例えば端子板をアルミ合金で形成し座金を銅合金で形成する等の異種の材料で構成されても良い。
また、座金は、ねじ締結し得る程度の強度があれば金属以外の材料で形成することも可能である。
【００１８】
さらに、上述した実施例において、本発明の端子部構造を回路遮断器に適用した例を示したが、本発明の端子部構造は、例えば、電磁接触器、電磁開閉器等の電気的に接点を形成するその他の電気機器や電子機器の接続部分にも適用が可能である。
【符号の説明】
【００１９】
１  端子部構造
１０  端子板
１１  穴
２０  座金
２１  バーリング部
２２  穴
２３  雌ねじ
３０  圧着端子
３１  接続部
３２  穴
４０  ねじ
４１  雄ねじ
１００  回路遮断器
１１０  固定接点台
１２０  固定接点
１３０  可動接点
１４０  可動接点台
１５０  消弧装置
１６０  開閉機構
１７０  導電部材
【図１】
2015222614.tif 000003
【図２】
2015222614.tif 000004
【図３】
2015222614.tif 000005
【図４】
2015222614.tif 000006
【図５】
2015222614.tif 000007
【図６】
2015222614.tif 000008
【図７】
2015222614.tif 000009
【図８】
2015222614.tif 000010